(57)【要約】軽量化を図りつつプレート本体の内端面の内周部側のシール精度を高くすることのできるバルブタイミング制御装置を提供する。フロントプレート（１２）は、ハウジング本体（５ａ）の前端開口を閉塞して各作動室を封止するプレート本体（１３）と、プレート本体の中央に穿設された貫通孔（１３ａ）から外方へ一体に突出した円筒部（１４）と、からなり、プレート本体の外端面（１３ｄ）の円筒部の根元部付近の内周部位を、内端面（１３ｅ）側に押し込んで環状凹部（１６）を形成すると共に、該環状溝の形成位置に対応する内端面（１３ｅ）の内周部位（１３ｆ）を、前記押し込み力に抗して支持することにより、前記内周部位と円筒部の内周面との間を、ほぼ直角状に形成して内周部位の表面積を拡大した。
2015087649.tif 000002
【特許請求の範囲】
【請求項１】
クランクシャフトから回転力が伝達され、軸方向の少なくとも一端が開口形成されたハウジング本体と、
カムシャフトに固定されたロータ及び前記ハウジング本体の内周に突設された複数のシューの間に遅角作動室と進角作動室とを隔成する複数のベーンを有し、前記遅角作動室と進角作動室内の作動油を選択的に給排することによって前記ハウジング本体に対して遅角側あるいは進角側に相対回転するように構成されたベーンロータと、
前記ハウジング本体の一端開口を内端面によって閉塞して前記各作動室を封止する円盤状のプレート本体及び該プレート本体の中央に穿設された貫通孔の孔縁から外方へ一体に突出した円筒部を有するフロントプレートと、
一端部が前記ロータに係止され、他端部が前記円筒部に係止されることにより、前記ハウジング本体に対して前記ベーンロータを常時回転方向の一方向側に付勢するトーションスプリングと、
を備え、
前記プレート本体の外端面の前記円筒部の根元部付近に、前記内端面側に押し込んで形成された凹部を有することを特徴とする内燃機関のバルブタイミング制御装置。
【請求項２】
請求項１に記載の内燃機関のバルブタイミング制御装置において、
前記プレート本体の貫通孔の内周面に、前記内端面側から前記円筒部方向へ下り傾斜状のテーパ面を形成したことを特徴とする内燃機関のバルブタイミング制御装置。
【請求項３】
請求項２に記載の内燃機関のバルブタイミング制御装置において、
前記凹部を、プレス成形によって形成したことを特徴とする内燃機関のバルブタイミング制御装置。
【請求項４】
請求項３に記載の内燃機関のバルブタイミング制御装置において、
前記凹部を、前記円筒部の根元部を囲むように円環状に形成したことを特徴とする内燃機関のバルブタイミング制御装置。
【請求項５】
請求項３に記載の内燃機関のバルブタイミング制御装置において、
前記フロントプレートのプレート本体と円筒部をプレス成形によって一体に形成すると共に、前記凹部をプレス成形する際に、前記プレート本体の内端面の前記凹部に対応する箇所を予め内側から支持することによって前記テーパ面を形成したことを特徴とする内燃機関のバルブタイミング制御装置。
【請求項６】
請求項２に記載の内燃機関のバルブタイミング制御装置において、
前記円筒部の先端縁から軸方向へ所定長さ切り欠くと共に、該切欠部の前記プレート本体側の端部に、前記円筒部の周方向へ切欠して前記トーションスプリングの一端部を係止する係止部を形成したことを特徴とする内燃機関のバルブタイミング制御装置。
【請求項７】
請求項６に記載の内燃機関のバルブタイミング制御装置において、
前記切欠部と係止部の内側周縁部を円弧状に形成したことを特徴とする内燃機関のバルブタイミング制御装置。
【請求項８】
請求項１に記載の内燃機関のバルブタイミング制御装置において、
前記プレート本体の外周部の円周方向位置に、前記ハウジング本体に結合させるボルトを挿通させる複数のボルト挿通孔を穿設すると共に、該ボルト挿通孔の前記外端面側の孔縁に前記ボルトの頭部が着座する着座面を形成したことを特徴とする内燃機関のバルブタイミング制御装置。
【請求項９】
クランクシャフトから回転力が伝達され、軸方向の少なくとも一端が開口形成されたハウジング本体と、
カムシャフトに固定されたロータ及び前記ハウジング本体の内周に突設された複数のシューの間に遅角作動室と進角作動室とを隔成する複数のベーンを有し、前記遅角作動室と進角作動室内の作動油を選択的に給排することによって前記ハウジング本体に対して遅角側あるいは進角側に相対回転するように構成されたベーンロータと、
前記ハウジング本体の一端開口を内端面によって閉塞して前記各作動室を封止する円盤状のプレート本体と、該プレート本体の中央に穿設された貫通孔の孔縁部を外側に折り曲げて外方へ一体に突出した円筒部と、を有するプレート本体と、
一端部が前記ロータに係止され、他端部が前記円筒部に係止されることにより、前記ハウジング本体に対して前記ベーンロータを常時、回転方向の一方向側に付勢するトーションスプリングと、
を備えた内燃機関のバルブタイミング制御装置の製造方法であって、
前記プレート本体をプレス基台上に固定する工程と、
前記円筒部の内部に該円筒部の内周面に沿った外形の円柱状の支持治具を予め挿通配置する工程と、
前記プレート本体の外端面の前記円筒部の根元部付近の内周部位を、パンチによって前記内端面側へ押し込んで凹状に形成すると同時に、前記支持治具によって前記円筒部の内端面の前記凹部に対応した内周部位を前記パンチの押し込み力に抗して押圧支持することにより、前記円筒部の内端面の内周部位を前記挿通孔方向へ引き延ばして表面積を拡大する工程と、を有することを特徴とする内燃機関のバルブタイミング制御装置の製造方法。
【請求項１０】
請求項９に記載の内燃機関のバルブタイミング制御装置の製造方法において、
前記円筒部の先端縁から軸方向へ所定長さ切り欠くと共に、該切欠部の前記プレート本体側の端部に、前記円筒部の周方向へ切欠して前記トーションスプリングの一端部を係止する係止部を形成したことを特徴とする内燃機関のバルブタイミング制御装置の製造方法。
【請求項１１】
請求項１０に記載の内燃機関のバルブタイミング制御装置の製造方法において、
前記切欠部と係止部を、前記円筒部の内側からプレス成形機のパンチによって打ち抜き加工すると共に、該打ち抜き加工時に前記切欠部と係止部の内側周縁部を円弧状に形成したことを特徴とする内燃機関のバルブタイミング制御装置の製造方法。
【請求項１２】
請求項９に記載の内燃機関のバルブタイミング制御装置の製造方法において、
前記プレート本体の内端面全体と前記円筒部の先端面を、互いに軸方向から同時に研磨加工したことを特徴とする内燃機関のバルブタイミング制御装置の製造方法。
【請求項１３】
請求項９に記載の内燃機関のバルブタイミング制御装置の製造方法において、
前記プレート本体の外周部の円周方向位置に、前記ハウジング本体に結合させるボルトを挿通させる複数のボルト挿通孔を穿設すると共に、該ボルト挿通孔の前記外端面側の孔縁に前記ボルトの頭部が着座する着座面をコイニング加工によって形成したことを特徴とする内燃機関のバルブタイミング制御装置の製造方法。
【発明の詳細な説明】
【技術分野】
【０００１】
本発明は、吸気弁や排気弁の開閉タイミングを運転状態に応じて可変制御する内燃機関のバルブタイミング制御装置に関する。
【背景技術】
【０００２】
従来の内燃機関のバルブタイミング制御装置としては、以下の特許文献１に記載されたものが知られている。【０００３】
概略を説明すると、クランクシャフトから回転力が伝達され、内周に複数の作動油室が設けられたハウジング本体と、該ハウジング本体の前端開口部を内端面で閉塞するプレート本体及び該プレート本体の外端面(外端面)中央に円筒部を有するフロントプレートと、前記ハウジング本体に対して所定角度範囲内で最遅角側と最進角側へ相対回転可能に設けられ、前記作動油室内を遅角油室と進角油室に隔成する４つのベーンを有するベーンロータと、前記フロントプレートの円筒部内に一部が収容配置されて、一端部が前記円筒部の前端部に係止され、他端部が前記ベーンロータに係止されたトーションスプリングと、を備えている。【０００４】
前記トーションスプリングは、ばね力によって前記ベーンロータを進角側へ相対回転するように付勢し、排気弁の開閉タイミングを進角側に制御することにより、機関始動性の向上などを図るようになっている。
【先行技術文献】
【特許文献】
【０００５】
【特許文献１】特開２０１２−１３２４０４号公報
【発明の概要】
【発明が解決しようとする課題】
【０００６】
ところで、前記従来のバルブタイミング制御装置にあっては、前述のように、フロントプレートのプレート本体の内端面でハウジング本体の一端開口を閉塞して前記各作動油室内を封止するようになっているが、前記プレート本体の内端面の内周部位と該内周部位に軸方向から対向する前記ベーンロータの対向面との間のサイドクリアランスの精度を十分に高くすることができない。【０００７】
すなわち、前記円筒部を含むフロントプレート全体をプレス成形によって形成した場合は、前記プレート本体の中央からバーリングプレスによって円筒部を形成すると、該円筒部の付け根部とプレート本体の内周部位との間にいわゆるダレが発生してしまう。このため、プレート本体の内端面の内周部位が湾曲状になって前記サイドクリアランスの精度が低下してしまうおそれがある。この結果、前記各作動油室からの作動油のリーク量が多くなってしまう。【０００８】
本発明は、前記従来のバルブタイミング制御装置の技術的課題に鑑みて案出されたもので、プレート本体の内端面の内周部位の表面積を大きくしてシール精度を高くすることのできる内燃機関のバルブタイミング制御装置を提供するものである。
【課題を解決するための手段】
【０００９】
請求項１に記載の発明は、クランクシャフトから回転力が伝達され、軸方向の少なくとも一端が開口形成されたハウジング本体と、カムシャフトに固定されたロータ及び前記ハウジング本体の内周に突設された複数のシューの間に遅角作動室と進角作動室とを隔成する複数のベーンを有し、前記遅角作動室と進角作動室内の作動油を選択的に給排することによって前記ハウジング本体に対して遅角側あるいは進角側に相対回転するように構成されたベーンロータと、前記ハウジング本体の一端開口を内端面によって閉塞して前記各作動室を封止する円盤状のプレート本体及び該プレート本体の中央に穿設された貫通孔の孔縁から外方へ一体に突出した円筒部を有するフロントプレートと、一端部が前記ロータに係止される一方、他端部が前記円筒部に係止されることにより、前記ハウジング本体に対して前記ベーンロータを常時、回転方向の一方向側に付勢するトーションスプリングと、を備え、
前記プレート本体の外端面の前記円筒部の根元部付近の内周部位を、前記内端面側に押し込んで凹状に形成すると共に、該凹部の形成位置に対応する前記内端面の内周部位を、前記押し込み力に抗して支持することにより、前記内端面の内周部位と前記円筒部の内周面との間を断面ほぼ直角状に形成したことを特徴としている。
【発明の効果】
【００１０】
本発明によれば、プレート本体の内端面の内周部位のダレを抑制して表面積を拡大することにより該内周部位側のシール精度を高くすることができる。この結果、各作動室からの作動油のリークを抑制できる。
【図面の簡単な説明】
【００１１】
【図１】本発明に係るバルブタイミング制御装置の一部を断面して示す全体構成図である。
【図２】本実施形態に係るバルブタイミング制御装置の分解斜視図である。
【図３】フロントプレートを外してベーンロータなどを示した正面図である。
【図４】本実施形態に供されるフロントプレートの斜視図である。
【図５】同フロントプレートの正面図である。
【図６】図５のＡ−Ａ線断面図である。
【図７】図６の指示線Ｂ部の拡大図である。
【図８】図６の指示線Ｃ部の拡大図である。
【図９】本実施形態に供されるフロントプレートの円筒部を示す側面図である。
【図１０】図９のＤ−Ｄ線断面図である。
【図１１】Ａ〜Ｆは本実施形態に供されるフロントプレートの成形過程を示す概略図である。
【発明を実施するための形態】
【００１２】
以下、本発明に係る内燃機関のバルブタイミング制御装置の実施形態を図面に基づいて詳述する。本実施形態では、排気弁側の動弁装置に適用したものを示している。
〔第１実施形態〕
排気側のバルブタイミング制御装置(ＶＴＣ)は、図１及び図２に示すように、図外のクランクシャフトによりタイミングチェーンを介して回転駆動される駆動回転体であるスプロケット１と、該スプロケット１に対して相対回転可能に設けられたカムシャフト２と、前記スプロケット１とカムシャフト２との間に配置されて、該両者１、２の相対回転位相を変換する位相変更機構３と、該位相変更機構３を作動させる油圧回路４と、を備えている。
【００１３】
前記スプロケット１は、鉄系金属によって肉厚円板状に形成されて、外周に前記タイミングチェーンが巻回される歯車部１ａを有していると共に、中央には、前記カムシャフト２の外周に回転自在に支持される支持孔１ｂが貫通形成されている。また、スプロケット１の外周部の周方向のほぼ等間隔位置には、後述する４本のボルト９が螺着される４つの雌ねじ孔１ｃがそれぞれ形成されている。このスプロケット１は、後述するハウジング５の後端開口を閉鎖するリアカバーとして構成されている。
【００１４】
前記カムシャフト２は、図外のシリンダヘッドにカム軸受を介して回転自在に支持され、外周面には排気弁を開閉作動させる卵形の複数の駆動カムが軸方向の所定位置に一体に固定されていると共に、一端部２ａ側の内部軸心方向には、後述するベーンロータ７を軸方向から固定するカムボルト６の軸部６ａが挿通するボルト挿通孔２ｂが形成されている。なお、このボルト挿通孔２ｂの先端部には、カムボルト６の先端に形成された雄ねじが螺着する図外の雌ねじが形成されている。
【００１５】
前記位相変更機構３は、図１〜図３に示すように、内部に作動室を有するハウジング５と、前記カムシャフト２の一端部にカムボルト６によって固定されて、前記ハウジング５内に相対回転自在に収容された従動回転体であるベーンロータ７と、前記ハウジング５の後述するハウジング本体５ａの内周面に一体に有する４つの第１〜第４シュー８ａ〜８ｄと前記ベーンロータ７によって前記作動室が隔成されたそれぞれ４つの遅角作動室である遅角油圧室１０及び進角作動室である進角油圧室１１と、を備えている。
【００１６】
前記ハウジング５は、焼結金属によって円筒状に形成されたハウジング本体５ａと、該ハウジング本体５ａの前端開口を閉塞するフロントプレート１２と、後端開口を閉塞するリアカバーとしての前記スプロケット１と、から構成されている。前記ハウジング本体５ａとフロントプレート１２及びスプロケット１とは、前記各シュー８ａ〜８ｄの各ボルト挿通孔８ｅなどを貫通する４本の前記ボルト９によって共締め固定されている。
【００１７】
前記フロントプレート１２は、炭素鋼からなる板材を後述するプレス成形機の特異なプレス成形法によって一体に成形してなり、図１、図２、図４〜図６に示すように、円盤状に形成されたプレート本体１３と、該プレート本体１３の中央にプレス成形にて一体形成された円筒部１４と、から構成されている。
【００１８】
前記プレート本体１３は、中央位置に円筒部１４の一部でもある比較大径な貫通孔１３ａが貫通形成されていると共に、この貫通孔１３ａの外端面１３ｄの孔縁に前記円筒部１４が一体に突設されている。つまり、この円筒部１４は、プレート本体１３の内端面１３ｅ側から前方へ折曲されて突出しており、前記貫通孔１３ａの内径と円筒部１４の内周面１４ａの内径は同一径に設定されて軸方向に連続形成されている。
【００１９】
また、前記プレート本体１３は、外周部の円周方向等間隔位置にボルト９が挿通する４つのボルト挿通孔１３ｂが貫通形成されていると共に、該各ボルト挿通孔１３ｂの外端面１３ｄ側の孔縁には前記各ボルト９の軸部の付け根部が嵌合する円環テーパ状のザグリ部がそれぞれ形成されている。また、この各ザグリ部の外周には前記ボルト９の頭部９ａの軸部側の端面が着座する円環状の着座面１３ｃがそれぞれ形成されている。
【００２０】
前記円筒部１４は、プレート本体１３の外端面１３ｄから所定長さをもって前方へ突設され、先端面１４ｂ側の外周面には縦断面円弧状のテーパ面１４ｃが形成されていると共に、後述する最大幅の第１ベーン１８ａの相対回転領域内の周方向の所定位置に円弧状の切欠部１４ｄが形成されている。この切欠部１４ｄの円周方向で対向する一方の端縁には、係止部である第１ばね係止溝１４ｅが形成されている。
【００２１】
この第１ばね係止溝１４ｅは、図４及び図９にも示すように、ほぼ矩形状に形成されて、前記円筒部１４の先端面１４ｂ側に設けられた突起１４ｆ側から内側に掛けて円弧状に形成され、この円弧部の一端縁からほぼ直線状に形成され、さらにこの直線部の端縁から円弧状に形成されている。この第１ばね係止溝１４ｅは、後述するトーションスプリング３２の第１係止端部３２ａが周方向から係止されるようになっており、前記突起１４ｆが、前記トーションスプリング３２の第１係止端部３２ａが先端側から脱落するのを抑制している。
【００２２】
また、前記第１ばね係止溝１４ｅは、図１０に示すように、円筒部１４の内周面１４ａ側の一方の内端縁、つまり前記第１係止端部３２ａが係止する内端縁が円弧面１４ｇに形成されている。
【００２３】
そして、前記プレート１３と円筒部１４の結合箇所は、図６〜図８に示すように、特異な構造になっており、これは後述するプレス成形時において成形されるようになっている。
【００２４】
すなわち、前記円筒部１４のプレート本体１３に対する付け根部付近を、プレス成形機の後述する押し込みパンチ４２によって内端面１３ｅ方向に押し込むことによってプレート本体１３の外端面１３ｄ側の内周部位に凹部である環状凹部１６が形成されている。このとき、前記プレート本体１３の内端面１３ｅ全体を、後述する円柱状の支持治具４１によって前記押し込み力に抗して支持している。
【００２５】
これによって、前記内端面１３ｅの内周部位１３ｆが、円筒部１４の軸心方向(図７の矢印方向)へ押し寄せられて、この内周部位１３ｆの断面形状がほぼ直角状に形成されて表面積が大きくなり、該内周部位１３ｆの内側孔縁１３ｇと円筒部１４の内周面１４ａとの間の長さＬが十分に小さくなっている。したがって、前記内周部位１３ｆの内側孔縁１３ｇと円筒部１４の内周面１４ａとの間に形成された環状テーパ面１３ｈのテーパ角度が十分小さくなる。
【００２６】
なお、前記環状凹部１６は、円筒部１４の外周面の付け根付近の環状に設けられているが、必ずしも全周である必要はなく、途中で切れていても良い。
【００２７】
前記ベーンロータ７は、例えば焼結金属材によって一体に形成され、図１〜図３に示すように、軸方向中央に形成されたボルト挿通孔７ａに挿通される前記カムボルト６によってカムシャフト２に固定されたロータ１７と、該ロータ１７の外周面に円周方向のほぼ９０°等間隔位置に放射状に突設された４枚の第１〜第４ベーン１８ａ〜１８ｄとから構成されている。
【００２８】
前記ロータ１７は、ほぼ円筒状に形成され、外端面の外周に円形状の環状溝１７ａが形成されている一方、後端側に前記カムシャフト２の先端部２ｂが嵌合する円形状の嵌合溝１７ｂが形成されている。前記環状溝１７ａの内周面には、前記ボルト挿通孔７ａの軸心方向（径方向）に向かって切欠された第２ばね係止溝１７ｃが形成されている。
【００２９】
また、このロータ１７は、図１に示すように、前記カムシャフト２側の軸方向の一端面が前記スプロケット１の対向する内端面に微小なサイドクリアランスをもって摺接するようになっている。一方、軸方向の他端面が前記フロントプレート１２のプレート本体１３の対向する内端面１３ｅに微小なサイドクリアランスをもって摺接するようになっており、前記スプロケット１の内端面とプレート本体１３の内端面１３ｅとの間でシール機能を発揮している。
【００３０】
一方、前記第１〜第４ベーン１８ａ〜１８ｄは、図２、図３に示すように、それぞれが各シュー８ａ〜８ｄの間に配置されていると共に、それぞれの円弧状外周面に形成されたシール溝内に、ハウジング本体５ａの内周面に摺動しつつシールするシール部材１５ａがそれぞれ嵌着されている。一方、前記各シュー８ａ〜８ｄの先端内周面に形成されたシール溝には、ロータ１７の外周面に摺動しつつシールするシール部材１５ｂがそれぞれ嵌着されている。なお、この各ベーン１８ａ〜１８での幅方向(ロータ軸方向)の各両側面は、前記スプロケット１の内端面とプレート本体１３の内端面１３ｅに対してそれぞれ微小なサイドクリアランスをもって摺接しており、同じく、前記スプロケット１の内端面とプレート本体１３の内端面１３ｅとの間でシール機能を発揮している。
【００３１】
また、前記各ベーン１８ａ〜１８ｄは、第１ベーン１８ａが側面からみて扇状の最大巾に設定されて、最も重量が重く形成され、該第１ベーン１８ａ以外の３枚の第２〜第４ベーン１８ｂ〜１８ｄの巾が第１ベーン１８ａよりも小さいほぼ同一の巾に設定されている。このように、前記第１ベーン１８ａの重量が最も重くなっていることから、ベーンロータ７は、図３に示すように、その重心Ｙ（図中楕円斜線部）が中心点Ｐ１から第１ベーン１８ａ寄りになっている。
【００３２】
また、前記ベーンロータ７は、最遅角側へ相対回転すると、図３の一点鎖線で示すように、第１ベーン１８ａの一側面が周方向から対向する前記第１シュー８ａの対向一側面に当接して最大遅角側の回転位置が規制されるようになっている。また、実線で示すように、最進角側へ相対回転すると、第１ベーン１８ａの他側面が周方向から対向する第２シュー８ｂの対向一側面に当接して最大進角側の回転位置が規制されるようになっている。これら第１ベーン１８ａと第１、第２シュー８ａ、８ｂがベーンロータ７の最遅角位置と最進角位置を規制するストッパとして機能するようになっている。
【００３３】
このとき、他の第２〜第４ベーン１８ｂ〜１８ｄは、両側面が円周方向から対向する各シュー８ｃ、８ｄの対向側面に当接せずに離間状態にある。したがって、第１ベーン１８ａと第１、第２シュー８ａ、８ｂとの当接精度が向上すると共に、前記各遅角、進角油圧室１０、１１への油圧の供給速度が速くなってベーンロータ７の正逆方向の回転応答性が高くなる。
【００３４】
前記各遅角油圧室１０と各進角油圧室１１は、前記ロータ１７の内部に径方向に沿って形成された第１連通孔１０ａと第２連通孔１１ａを介して前記油圧回路４にそれぞれ連通している。
【００３５】
前記油圧回路４は、前記各遅角、進角油圧室１０、１１に対して作動油（油圧）を選択的に供給あるいは排出するもので、図１に示すように、各遅角油圧室１０に対して前記第１連通孔１０ａを介して油圧を給排する遅角油通路１９と、各進角油圧室１１に対して前記第２連通孔１１ａを介して油圧を給排する進角油通路２０と、該各通路１９、２０に作動油を供給するオイルポンプ２１と、機関の作動状態に応じて前記遅角油通路１９と進角油通路２０の流路を切り換える電磁切換弁２２と、を備えている。前記オイルポンプ２１は、機関のクランクシャフトによって回転駆動するトロコイドポンプなどの一般的なものである。
【００３６】
前記遅角油通路１９と進角油通路２０とは、それぞれの一端部が前記電磁切換弁２２の通路ポートに接続されている一方、各他端部側が図外のシリンダヘッドやシリンダブロックを介して前記カムシャフト２の内部に、軸方向に沿って平行な遅角通路部１９ａと進角通路部２０ａが形成されている。
【００３７】
この遅角通路部１９ａは、前記第１連通孔１０ａを介して前記各遅角油圧室１０に連通している。一方、進角通路部２０ａは、前記第２連通孔１１ａを介して前記各進角油圧室１１に連通している。
【００３８】
前記電磁切換弁２２は、図１に示すように、２位置３ポート弁であって、図外の電子コントローラによって、バルブボディ内に軸方向へ摺動自在に設けられた図外のスプール弁体を前後方向に移動させて、オイルポンプ２１の吐出通路２１ａと前記いずれかの油通路１９、２０と連通させると同時に、該他方の油通路１９、２０とドレン通路２３とを連通させるようになっている。
【００３９】
前記オイルポンプ２１の吸入通路２１ｂと前記ドレン通路２３とは、オイルパン２４内に連通している。また、オイルポンプ２１の前記吐出通路２１ａの下流側には、濾過フィルタ２５が設けられていると共に、この下流側で内燃機関の摺動部などに潤滑油を供給するメインオイルギャラリーＭ／Ｇに連通している。さらに、オイルポンプ２１は、吐出通路２１ａから吐出された過剰な作動油をオイルパン２４に排出して適正な流量に制御する流量制御弁２６が設けられている。
【００４０】
前記電子コントローラは、内部のコンピュータが図外のクランク角センサやエアフローメータ、機関水温センサ、スロットルバルブ開度センサ及びカムシャフト２の現在の回転位相を検出するカム角センサなどの各種センサ類からの情報信号を入力して現在の機関運転状態を検出すると共に、電磁切換弁２２の電磁コイルに制御パルス電流を出力してそれぞれのスプール弁体の移動位置を制御し、これによって、前記各通路を切り換え制御するようになっている。
【００４１】
また、前記第１ベーン１８ａと前記スプロケット１のリアカバー１ｂとの間には、前記ハウジング５に対してベーンロータ７を最進角位置に拘束するロック機構が設けられている。
【００４２】
このロック機構は、図１〜図３に示すように、前記第１ベーン１８ａの内部軸方向に貫通形成された摺動用孔２７に摺動自在に収容されて、リアカバー１ｂ側に対して進退自在に設けられたロックピン２８と、前記リアカバー１ｂの径方向のほぼ中央所定位置に形成され、前記ロックピン２８の先端部２８ａが係合して前記ベーンロータ７をロックするロック穴２９と、機関の始動状態に応じて前記ロックピン２８の先端部２８ａをロック穴２９に係合あるいは係合を解除する係脱機構と、から構成されている。
【００４３】
前記ロックピン２８は、先端部２８ａを含めた全体がほぼ円柱状に形成されて、前記ロック穴２９内に軸方向から係合し易い形状になっていると共に、後端側から内部軸方向に形成された凹溝底面とフロントプレート１２の内面との間に弾装されて、ロックピン２８を進出方向（係合する方向）へ付勢するコイルスプリング３０が設けられている。
【００４４】
前記ロック穴２９は、前記ロックピン２８の先端部外径よりも大きく形成され、円周方向の前記進角油圧室１１側に偏倚した位置に形成されていると共に、前記ロックピン２８が係合した場合には、前記ハウジング５とベーンロータ７の相対変換角度が最進角側の位置となるように設定されている。また、前記ロック穴２９の側部には、前記ロックピン２８の外径よりも小径で前記ロック穴２９よりも一段下がった位置に半円弧状の受圧室３１が形成されている。
【００４５】
前記係脱機構は、前記ロックピン２８を進出方向へ付勢する前記コイルスプリング３０と、前記ロック穴２９内の受圧室３１に油圧を供給してロックピン２８を後退させる図外の解除用油圧回路とから構成されており、この解除用油圧回路は、前記遅角油圧室１０と進角油圧室１１にそれぞれ選択的に供給された油圧が所定の油孔を介して受圧室３１に供給されて前記ロックピン２８に後退方向へ作用するようになっている。
【００４６】
また、前記プレート本体１３や円筒部１４の内側及び前記ロータ１７の環状溝１７ａの内部には、前記ベーンロータ７をハウジング５に対して進角方向へ付勢するトーションスプリング３２が装着されている。
【００４７】
前記トーションスプリング３２は、図１及び図２に示すように、コイル状に巻回されたスプリング本体と、該スプリング本体の一端から径方向外側へ折曲されて外方に突出した一端部である前記第１係止端部３２ａと、前記スプリング本体の他端から径方向内側へ折曲されて内方に突出した他端部である第２係止端部３２ｂと、から構成されている。
【００４８】
前記スプリング本体は、その大部分が前記貫通孔１３ａや円筒部１４内に収容されていると共に、軸方向内側の一部が前記ロータ１７の環状溝１７ａ内に収容配置されている。
【００４９】
前記第１係止端部３２ａは、前記フロントプレート１２の前記第１ばね係止溝１４ｅに周方向から係止固定されている一方、前記第２係止端部３２ｂは、前記ロータ１７の第２係止溝１７ｃに軸方向から係止固定されている。このトーションスプリング３２のばね力によって、前記ベーンロータ７を進角側の回転方向へ常時付勢するようになっている。
【００５０】
また、このトーションスプリング３２は、前記ベーンロータ７がハウジング５に対して遅角側へ相対回転した場合に縮径方向へ変形するようになっている。
〔フロントプレートの成形方法〕
そして、前記フロントプレート１２は、図１１Ａ〜Ｆに示す一連のプレス成形工程によって形成されるようになっている。
【００５１】
まず、図１１Ａに示すように、炭素鋼材のフロントプレート１２の母材１２’を、図外のプレス成形機によって円盤状に予め成形すると共に、中央に円筒部１４’成形用の成形用孔１４ｈ’を貫通形成しておく。
【００５２】
次に、同図Ｂ、Ｃに示すように、前記成形用孔１４ｈ’を中心としてこの周囲の部位を上方へ押し上げて、漸次プレート本体１３’と円筒部１４’を成形する(バーリング加工)。このとき、前記プレート本体１３’と円筒部１４’との結合箇所(付け根箇所)の内周部１４ｉにプレス成形による円弧状のいわゆるダレが発生している。
【００５３】
その後、同図Ｄに示すように、まず、前記成形されたフロントプレート１２の母材１２’を、前記円筒部１４’に対応した位置に挿通用孔４０ａが形成された基台４０上に位置決め固定すると共に、前記円筒部１４’の内部へ支持治具４１を上方から挿入する。この支持治具４１は、段差円柱状に形成され、先端側の小径部４１ａが前記円筒部１４’の内周面１４ａ’の内径よりも僅かに小さな外径に設定されて前記内周面１４ａ’に近接配置されている。また、このとき、支持治具４１の大径部４１ｂと小径部４１ａの段差部４１ｃが、前記円筒部１４’の先端面１４ｂ’に僅かな隙間をもって軸方向から対向している。
【００５４】
この状態で、前記支持治具４１の外周側に配置された押し込みパンチ４２によって、前記円筒部１４’の付け根部の外周部１４ｊを矢印に示す下方向へ押し込む。前記押し込みパンチ４２は、右図に示すように、中央の挿通孔４２ａの下端孔縁に先端鋭角状の円環状の押し込み部４２ｂが突設されており、この押し込み部４２ｂによって前記外周部１４ｊを図１１Ｄの矢印下方向へ押し込むと、図８に示したように、プレート本体１３の内周部に前記環状凹部１６が形成される。
【００５５】
そして、前記環状凹部１６を形成する押し込み力が作用すると、プレート本体１３’の内周部や円筒部１４’の付け根部付近の部位が内方へ押し出される状態になるが、このとき、前記円筒部１４’の付け根部側の内周面１４ａ’内側とプレート本体１３’の貫通孔１３ａ’付近の内側を、前記支持治具４１の外周面と基台４０の挿通孔４０ａ付近の上面によって前記押し込み力に抗して支持する。
【００５６】
このため、プレート本体１３の内周部の肉は、図８の矢印方向へ、つまり円筒部１４の軸線方向へ押し出されて、前記内端面１３ｅの内周部位１３ｆが、図７に示すように円筒部１４の軸線方向へ押し寄せられる。したがって、前記内端面１３ｅの内周部位１３ｆが断面ほぼ直角状に形成されて表面積が内方へ拡大するのである。これによって、前述したプレスによるダレが矯正される。
【００５７】
続いて、同図Ｅに示すように、打ち抜きパンチ４３を、円筒部１４の内側から径方向外側(矢印方向)へ押し出すことによって、図１０に示す前記切欠部１４ｄと第１ばね係止溝１４ｅが形成される。前記打ち抜きパンチ４３は、先端面４３ａが円筒部１４の曲率半径とほぼ同じ曲率半径の円弧状に形成されていると共に、該先端面４３ａの上端縁４３ｂが円筒状１４の軸中心側(内側)から半径方向外側に向かって移動して第１ばね係止溝１４ｅを打ち抜き形成することから、図１０に示した内側端縁に円弧面１４ｇが形成される。
【００５８】
次に、前記フロントプレート１２の母材１２’を、所定の時間と温度で熱処理を行った後、同図Ｆに示すように、前記プレート本体１３の外周部に、図５に示した４つの円周方向等間隔位置に前記４つのボルト挿通孔１３ｂを円周方向の等間隔位置に孔開け加工する。続いて、各ボルト挿通孔１３ｂの外端面１３ｄ側の孔縁外周側に、コイニング加工によって円環状の前記着座部１３ｃをそれぞれ形成する。
【００５９】
その後、プレート本体１３の内端面１３ｅと円筒部１４の先端面１４ｂとを、前後の研磨機４４ａ、４４ｂで挟み込むようにしていわゆる両頭研磨加工を行う。これによって、特に、前記内端面１３ｅの面粗度を高くして前記ローラ１７との間のサイドクリアランスの精度を高めることができる。
【００６０】
これによって、前記フロントプレート１２の一連の成形作業が完了する。
〔本実施形態における可変動弁装置の作用効果〕
まず、機関始動時は、図３に示すように、トーションスプリング３２のばね力によってベーンロータ７を最大進角位置に付勢していると共に、この位置で予めロックピン２８の先端部２８ａがロック穴２９内に係入して、ベーンロータ７を始動に最適な進角側の相対回転位置に拘束している。このため、排気弁のバルブタイミングが最進角側へ安定的に制御されている。このことから、イグニッションスイッチをオン操作して始動が開始されると、スムーズなクランキングによって良好な始動性が得られる。
【００６１】
そして、機関始動後の例えば低回転負荷域では、電子コントローラが電磁切換弁２２の電磁コイルへの非通電状態が維持される。これによって、オイルポンプ２１の吐出通路１８ａと遅角油通路１９を連通させると同時に、進角油通路２０とドレン通路２３を連通させる。
【００６２】
このため、前記オイルポンプ２１から吐出された作動油は、前記遅角油通路１９を介して各遅角油圧室１０内に流入して、該各遅角油圧室１０が高圧になる一方、各進角油圧室１１内の作動油が前記進角油通路２０を通って前記ドレン通路２３からオイルパン２２内に排出されて、各進角油圧室１１内が低圧になる。
【００６３】
このとき、前記各遅角油圧室１０内に流入した作動油が前記解除用油圧回路から受圧室３１及びロック孔２９内にも流入して高圧となり、これによりロックピン２８が後退動して先端部２８ａがロック穴２９から抜け出して、ベーンロータ７の自由な回転が確保される。
【００６４】
したがって、前記各遅角油圧室１０の容積の拡大に伴い、ベーンロータ７が図３の一点鎖線で示すように、図中左側（遅角側）へ回転して第１ベーン１８ａの一側面が周方向から対向する前記第１シュー８ａの対向一側面に当接して最大遅角側の回転位置が規制される。これにより、ベーンロータ７、つまりカムシャフト２は、ハウジング５に対して相対回転角度が最遅角側に変換される。
【００６５】
また、ベーンロータ７がハウジング５に対して遅角側へ相対回転することによって前記トーションスプリング３２が縮径方向へ変形する。
【００６６】
次に、機関が例えば高回転負荷域に移行した場合は、電子コントローラから電磁切換弁２２に制御電流が出力されて、吐出通路２１ａと進角油通路２０を連通させると同時に、遅角油通路１９とドレン通路２３を連通させる。これにより、遅角油圧室１０内の作動油が排出されて低圧になると共に、進角油圧室１１内に作動油が供給されて内部が高圧になる。このとき、進角油圧室１１から前記解除用油圧回路を介して前記受圧室３１内に油圧が供給されることから、この油圧によってロックピン２８はロック穴２９から抜け出した状態が維持される。
【００６７】
このため、ベーンロータ７は、図３の実線で示すように、ハウジング５に対して進角側へ回転して第１ベーン１８ａの他側面が周方向から対向する第２シュー８ｂの対向一側面に当接して最大進角側の回転位置が規制される。これによって、カムシャフト２のハウジング５に対する相対回動位相が最進角側に変換される。この結果、排気弁の開閉タイミングが最進角側に制御されて、かかる高回転高負荷域における機関の出力を向上させることができる。
【００６８】
また、機関停止直前には、ドレン通路２３を介して各油圧室１０、１１内の油圧がオイルパン２２へ排出されて、受圧室２９やロック穴２９内の油圧も低下する。このため、前記カムシャフト２に作用するトーションスプリング３２のばね力によってベーンロータ７が前記最進角側へ相対回転してこの位置、ロックピン２８がコイルスプリング３０のばね力によって進出し、先端部２８ａがロック穴２９内に係合する。
【００６９】
この場合、各構成部材の組み付け時に、前記ロックピン２８と前記ロック穴２９によってハウジング５の円周方向の正確な位置決めが行われているため、前記ロックピン２８のスムーズな係合作用が得られる。
【００７０】
そして、本実施形態では、前記フロントプレート１２を、比較的薄肉な鉄系金属板を用いてプレス成形により一体に形成したことから、軽量化が図れることは勿論のこと、製造作業が容易になることからコストの低減化が図れる。
【００７１】
しかも、前記円筒部１４の付け根部を介して前記プレート本体１３の外端面１３ｄ側の内周部に前記環状凹部１６を押し込みパンチ４２によって形成して、内端面１３ｅの内周部位１３ｆをほぼ直角状に形成して表面積を内方へ拡大したことにより、ダレを無くしてシール面を拡大することができることから、前記ロータ１７の軸方向他端面との間のサイドクリアランスによるシール精度を十分に高めることが可能になる。
【００７２】
また、前記内端面１３ｅの内周部位１３ｆの表面積の拡大を、内端面１３ｅを研磨加工して行うのではなく、単に押し込みパンチ４２と支持治具４１との協働によって行うことにしたことから、成形コストの低減化が図れる。
【００７３】
また、前記第１ばね係止溝１４ｅの内側端縁を円弧面１４ｇとしたことによって、前記トーションスプリング３２の第１係止端部３２ａが第１ばね係止溝１４ｅに係止した状態での第１係止端部３２ａ外面の損傷の発生を抑制できる。
【００７４】
さらに、前記内周部位１３ｆの内側孔縁１３ｇと円筒部１４の内周面１４ａとの間に、環状テーパ面１３ｈを形成したため、前記トーションスプリング３２が特に拡径変形した際に、この変形を前記環状テーパ面１３ｈで形成された空間内に吸収できることから、前記トーションスプリング３２のスムーズな変形を確保できる。しかも、前記空間によってトーションスプリング３２の外面が円筒部１４の内周面１４ａに干渉するのを抑制することができので、前記外面の損傷や打音の発生をなくすことができる。
【００７５】
さらに、前記プレート本体１３の各着座面１３ｃもプレス成形によって形成したので、研磨加工による場合に比較してコストの低減が図れる。
【００７６】
また、本実施形態では、前記ベーンロータ７の最大幅の第１ベーン１８ａによってその重心が第１ベーン１８ａ側に偏っているが、前記円筒部１４の切欠部１４ｄ及び第１ばね係止溝１４ｅによって、フロントプレート１２の重心が前記切欠部１４ｄや第１ばね係止溝１４ｅと反対側に偏っていることから、第１ベーン１８ａの過重量分が相殺される。
【００７７】
このため、第１ベーン１８ａと反対側に位置する第３ベーン１８ｃなどにバランスウエイトを設けなくともバルブタイミング制御装置全体の重量バランスが図れると共に、切欠部１４ｄや第１ばね係止溝１４ｅによって装置の軽量化が図れる。
【００７８】
本発明は、前記実施形態の構成に限定されるものではなく、発明の趣旨を逸脱しない範囲で構成を変更することも可能である。
【図１】
2015087649.tif 000003
【図２】
2015087649.tif 000004
【図３】
2015087649.tif 000005
【図４】
2015087649.tif 000006
【図５】
2015087649.tif 000007
【図６】
2015087649.tif 000008
【図７】
2015087649.tif 000009
【図８】
2015087649.tif 000010
【図９】
2015087649.tif 000011
【図１０】
2015087649.tif 000012
【図１１】
2015087649.tif 000013
【手続補正書】
【提出日】平成28年12月22日(2016.12.22)
【手続補正１】
【補正対象書類名】特許請求の範囲
【補正対象項目名】全文
【補正方法】変更
【補正の内容】
【特許請求の範囲】
【請求項１】
クランクシャフトから回転力が伝達され、軸方向の少なくとも一端が開口形成されたハウジング本体と、
カムシャフトに固定されたロータ及び前記ハウジング本体の内周に突設された複数のシューの間に遅角作動室と進角作動室とを隔成する複数のベーンを有し、前記遅角作動室と進角作動室内の作動油を選択的に給排することによって前記ハウジング本体に対して遅角側あるいは進角側に相対回転するように構成されたベーンロータと、
前記ハウジング本体の一端開口を内端面によって閉塞して前記各作動室を封止する円盤状のプレート本体及び該プレート本体の中央に穿設された貫通孔の孔縁から外方へ一体に突出した円筒部を有するフロントプレートと、
一端部が前記ロータに係止され、他端部が前記円筒部に係止されることにより、前記ハウジング本体に対して前記ベーンロータを常時回転方向の一方向側に付勢するトーションスプリングと、
を備え、
前記プレート本体の外端面の前記円筒部の根元部付近に、径方向内側が突設されて先端に向けて鋭角状の押し込み部を有するパンチによって前記内端面側に押し込んで形成された凹部を有することを特徴とする内燃機関のバルブタイミング制御装置。
【請求項２】
請求項１に記載の内燃機関のバルブタイミング制御装置において、
前記プレート本体の貫通孔の内周面に、前記内端面側から前記円筒部方向へ下り傾斜状のテーパ面を形成したことを特徴とする内燃機関のバルブタイミング制御装置。
【請求項３】
請求項２に記載の内燃機関のバルブタイミング制御装置において、
前記凹部を、プレス成形によって形成したことを特徴とする内燃機関のバルブタイミング制御装置。
【請求項４】
請求項３に記載の内燃機関のバルブタイミング制御装置において、
前記凹部を、前記円筒部の根元部を囲むように円環状に形成したことを特徴とする内燃機関のバルブタイミング制御装置。
【請求項５】
請求項３に記載の内燃機関のバルブタイミング制御装置において、
前記フロントプレートのプレート本体と円筒部をプレス成形によって一体に形成すると共に、前記凹部をプレス成形する際に、前記プレート本体の内端面の前記凹部に対応する箇所を予め内側から支持することによって前記テーパ面を形成したことを特徴とする内燃機関のバルブタイミング制御装置。
【請求項６】
請求項２に記載の内燃機関のバルブタイミング制御装置において、
前記円筒部の先端縁から軸方向へ所定長さ切り欠くと共に、該切欠部の前記プレート本体側の端部に、前記円筒部の周方向へ切欠して前記トーションスプリングの一端部を係止する係止部を形成したことを特徴とする内燃機関のバルブタイミング制御装置。
【請求項７】
請求項６に記載の内燃機関のバルブタイミング制御装置において、
前記切欠部と係止部の内側周縁部を円弧状に形成したことを特徴とする内燃機関のバルブタイミング制御装置。
【請求項８】
請求項１に記載の内燃機関のバルブタイミング制御装置において、
前記プレート本体の外周部の円周方向位置に、前記ハウジング本体に結合させるボルトを挿通させる複数のボルト挿通孔を穿設すると共に、該ボルト挿通孔の前記外端面側の孔縁に前記ボルトの頭部が着座する着座面を形成したことを特徴とする内燃機関のバルブタイミング制御装置。
【請求項９】
クランクシャフトから回転力が伝達され、軸方向の少なくとも一端が開口形成されたハウジング本体と、
カムシャフトに固定されたロータ及び前記ハウジング本体の内周に突設された複数のシューの間に遅角作動室と進角作動室とを隔成する複数のベーンを有し、前記遅角作動室と進角作動室内の作動油を選択的に給排することによって前記ハウジング本体に対して遅角側あるいは進角側に相対回転するように構成されたベーンロータと、
前記ハウジング本体の一端開口を内端面によって閉塞して前記各作動室を封止する円盤状のプレート本体と、該プレート本体の中央に穿設された貫通孔の孔縁部を外側に折り曲げて外方へ一体に突出した円筒部と、を有するプレート本体と、
一端部が前記ロータに係止され、他端部が前記円筒部に係止されることにより、前記ハウジング本体に対して前記ベーンロータを常時、回転方向の一方向側に付勢するトーションスプリングと、
を備えた内燃機関のバルブタイミング制御装置の製造方法であって、
前記プレート本体をプレス基台上に固定する工程と、
前記円筒部の内部に該円筒部の内周面に沿った外形の円柱状の支持治具を予め挿通配置する工程と、
前記プレート本体の外端面の前記円筒部の根元部付近の外周部位を、径方向内側が突設されて先端に向けて鋭角状である押し込み部を有するパンチによって前記内端面側へ押し込んで凹状に形成すると同時に、前記支持治具によって前記円筒部の内端面の前記凹部に対応した内周部位を前記パンチの押し込み力に抗して押圧支持することにより、前記円筒部の内端面の内周部位を前記挿通孔方向へ引き延ばして表面積を拡大する工程と、を有することを特徴とする内燃機関のバルブタイミング制御装置の製造方法。
【請求項１０】
請求項９に記載の内燃機関のバルブタイミング制御装置の製造方法において、
前記円筒部の先端縁から軸方向へ所定長さ切り欠くと共に、該切欠部の前記プレート本体側の端部に、前記円筒部の周方向へ切欠して前記トーションスプリングの一端部を係止する係止部を形成したことを特徴とする内燃機関のバルブタイミング制御装置の製造方法。
【請求項１１】
請求項１０に記載の内燃機関のバルブタイミング制御装置の製造方法において、
前記切欠部と係止部を、前記円筒部の内側からプレス成形機のパンチによって打ち抜き加工すると共に、該打ち抜き加工時に前記切欠部と係止部の内側周縁部を円弧状に形成したことを特徴とする内燃機関のバルブタイミング制御装置の製造方法。
【請求項１２】
請求項９に記載の内燃機関のバルブタイミング制御装置の製造方法において、
前記プレート本体の内端面全体と前記円筒部の先端面を、互いに軸方向から同時に研磨加工したことを特徴とする内燃機関のバルブタイミング制御装置の製造方法。
【請求項１３】
請求項９に記載の内燃機関のバルブタイミング制御装置の製造方法において、
前記プレート本体の外周部の円周方向位置に、前記ハウジング本体に結合させるボルトを挿通させる複数のボルト挿通孔を穿設すると共に、該ボルト挿通孔の前記外端面側の孔縁に前記ボルトの頭部が着座する着座面をコイニング加工によって形成したことを特徴とする内燃機関のバルブタイミング制御装置の製造方法。
【手続補正２】
【補正対象書類名】明細書
【補正対象項目名】０００９
【補正方法】変更
【補正の内容】
【０００９】
請求項１に記載の発明は、クランクシャフトから回転力が伝達され、軸方向の少なくとも一端が開口形成されたハウジング本体と、
カムシャフトに固定されたロータ及び前記ハウジング本体の内周に突設された複数のシューの間に遅角作動室と進角作動室とを隔成する複数のベーンを有し、前記遅角作動室と進角作動室内の作動油を選択的に給排することによって前記ハウジング本体に対して遅角側あるいは進角側に相対回転するように構成されたベーンロータと、
前記ハウジング本体の一端開口を内端面によって閉塞して前記各作動室を封止する円盤状のプレート本体及び該プレート本体の中央に穿設された貫通孔の孔縁から外方へ一体に突出した円筒部を有するフロントプレートと、
一端部が前記ロータに係止され、他端部が前記円筒部に係止されることにより、前記ハウジング本体に対して前記ベーンロータを常時回転方向の一方向側に付勢するトーションスプリングと、
を備え、
前記プレート本体の外端面の前記円筒部の根元部付近に、径方向内側が突設されて先端に向けて鋭角状の押し込み部を有するパンチによって前記内端面側に押し込んで形成された凹部を有することを特徴としている。
【国際調査報告】
2015087649.tif 000014
2015087649.tif 000015
2015087649.tif 000016
2015087649.tif 000017